(57)【要約】【課題】移動体通信システムにおいて、在圏に伴い自装置に登録された移動端末に対して通信サービス制御を行う通信サービス制御装置の閉塞を、より早期に完了させること。【解決手段】移動体通信システム１においては、閉塞対象となったＳ−ＣＳＣＦに登録されている移動端末からレジストレーション信号が送信された場合に、Ｐ−ＣＳＣＦは、受信したレジストレーション信号を閉塞対象のＳ−ＣＳＣＦ以外に転送する。したがって、移動体通信システムにおいてＳ−ＣＳＣＦを閉塞する際に、移動端末のリレジストレーション時にも登録先を変更することができるため、移動端末が長期間にわたり在圏し続ける場合であっても、Ｓ−ＣＳＣＦの閉塞を早期に完了することができる。【選択図】図２
2008078994.tif 000002
【特許請求の範囲】
【請求項１】
在圏に伴い自装置に登録された移動端末に対して通信サービス制御を行う複数の通信サービス制御装置と、在圏する移動端末の前記複数の通信サービス制御装置への登録を管理する移動端末登録装置とを含む移動体通信システムであって、
前記移動端末登録装置は、閉塞対象とされている前記通信サービス制御装置に登録された移動端末から、前記通信サービス制御装置への登録のためのレジストレーション信号を再受信した場合に、前記複数の通信サービス制御装置のうち、閉塞対象とされている装置以外の前記通信サービス制御装置へレジストレーション信号を転送することを特徴とする移動体通信システム。
【請求項２】
前記移動端末登録装置は、前記レジストレーション信号を再受信した場合、該レジストレーション信号を再送信した前記移動端末が通信中であるか否かを判定し、通信中である場合には、閉塞対象とされている前記通信サービス制御装置に該移動端末を登録し、通信中でない場合には、閉塞対象とされている前記通信サービス制御装置以外に該移動端末を登録することを特徴とする請求項１記載の移動体通信システム。
【請求項３】
前記移動体通信システムはＩＭＳに準拠する移動体通信システムであり、前記移動端末登録装置はＰ−ＣＳＣＦとして、前記通信サービス制御装置はＳ−ＣＳＣＦとして構成されることを特徴とする請求項１または２記載の移動体通信システム。
【請求項４】
在圏に伴い自装置に登録された移動端末に対して通信サービス制御を行う複数の通信サービス制御装置と、在圏する移動端末の前記複数の通信サービス制御装置への登録を管理する移動端末登録装置とを含む移動体通信システムのための移動端末登録装置であって、
閉塞対象とされている前記通信サービス制御装置に登録された移動端末から、前記通信サービス制御装置への登録のためのレジストレーション信号を再受信した場合に、前記複数の通信サービス制御装置のうち、閉塞対象とされている装置以外の前記通信サービス制御装置へレジストレーション信号を転送することを特徴とする移動端末登録装置。
【請求項５】
在圏に伴い自装置に登録された移動端末に対して通信サービス制御を行う複数の通信サービス制御装置と、在圏する移動端末の前記複数の通信サービス制御装置への登録を管理する移動端末登録装置とを含む移動体通信システムにおける移動端末登録装置のための制御プログラムであって、
閉塞対象とされている前記通信サービス制御装置に登録された移動端末から、前記通信サービス制御装置への登録のためのレジストレーション信号を再受信した場合に、前記複数の通信サービス制御装置のうち、閉塞対象とされている装置以外の前記通信サービス制御装置へレジストレーション信号を転送する機能をコンピュータに実現させることを特徴とする制御プログラム。
【請求項６】
在圏に伴い自装置に登録された移動端末に対して通信サービス制御を行う複数の通信サービス制御装置と、在圏する移動端末の前記複数の通信サービス制御装置への登録を管理する移動端末登録装置とを含む移動体通信システムにおける通信サービス制御装置の閉塞方法であって、
閉塞対象とされている前記通信サービス制御装置に登録された移動端末から、前記通信サービス制御装置への登録のためのレジストレーション信号を再受信した場合に、前記複数の通信サービス制御装置のうち、閉塞対象とされている装置以外の前記通信サービス制御装置へレジストレーション信号を転送するリレジストレーションステップを含むことを特徴とする通信サービス制御装置の閉塞方法。
【発明の詳細な説明】
【技術分野】
【０００１】
本発明は、移動端末に通信サービスを提供する移動体通信システム、移動体通信システムにおいて通信サービス制御を行う通信サービス制御装置への移動端末の登録を管理する移動端末登録装置、その制御プログラムおよび通信サービス制御装置の閉塞方法に関する。
【背景技術】
【０００２】
近年、携帯電話網にＩＰ技術を取り入れた公衆無線ＬＡＮ等の移動体通信システムが利用されるようになっており、携帯電話網上でＩＰ技術を利用したマルチメディアサービスを実現するための標準仕様として、ＩＭＳ（IP Multimedia Subsystem）が規定されている。
このＩＭＳに準拠した移動体通信システムでは、通話制御プロトコルとしてＳＩＰ（Session Initiation Protocol）を用いることにより移動端末間での電話接続を行っており、ＳＩＰによる発着信を可能とするために、予め移動端末のレジストレーション（登録）が行われる。
【０００３】
具体的には、移動体通信システムにおける基地局の通信圏内に移動端末が進入した場合、ＳＩＰの呼制御を行うＣＳＣＦ（Call Session Control Function）に対して、移動端末からレジストレーション信号が送信される。
このＣＳＣＦには、移動端末との通信におけるプロキシサーバとして機能するＰ−ＣＳＣＦ（Proxy-Call Session Control Function）と、ユーザの認証あるいはセッションの管理といった通信サービス制御を行うＳ−ＣＳＣＦ（Serving-Call Session Control Function）とが含まれており、Ｐ−ＣＳＣＦは、移動端末から送信されたレジストレーション信号を受けて、そのＰ−ＣＳＣＦに接続されているいずれかのＳ−ＣＳＣＦを選択してレジストレーション信号を転送する。レジストレーション信号の転送を受けたＳ−ＣＳＣＦは、ユーザプロファイルを管理しているＨＳＳ（Home Subscriber Servers）からユーザプロファイルを取得して保持し、レジストレーション信号を送信した移動端末が在圏していることを登録する。
【０００４】
移動端末は、基地局の通信圏内に新たに在圏した後、一定周期（例えば３０分毎）でレジストレーション信号を再送信する。再送信されたレジストレーション信号を受信すると、Ｐ−ＣＳＣＦは、その移動端末のユーザプロファイルを保持しているＳ−ＣＳＣＦにレジストレーション信号を転送し、Ｓ−ＣＳＣＦは移動端末の在圏を認識する。
また、このように移動端末がレジストレーションされた状態において、その移動端末からＰ−ＣＳＣＦに対して発呼信号が送信されると、Ｐ−ＣＳＣＦは、その移動端末のユーザプロファイルを保持しているＳ−ＣＳＣＦに発呼信号を転送し、Ｓ−ＣＳＣＦが通信網における接続制御処理を行う。また、Ｓ−ＣＳＣＦは、通信網から自装置に登録された移動端末に対する着呼信号を受信した場合、その着呼信号をＰ−ＣＳＣＦに転送し、Ｐ−ＣＳＣＦが移動端末に対する着呼処理を実行する。
【０００５】
このように、在圏状態にある移動端末のユーザプロファイルはＳ−ＣＳＣＦによって保持されており、Ｓ−ＣＳＣＦは、移動端末からのレジストレーション信号が所定時間以上受信されない状態になると、移動端末が非在圏状態になったものとしてユーザプロファイルを削除し、通信網に対して自装置における移動端末の登録を抹消するための手順を実行する。
なお、上述のＩＭＳおよびそれに準拠した移動体通信システムについては、特許文献１に記載されている。
【特許文献１】特開２００４−０５６２５５号公報
【発明の開示】
【発明が解決しようとする課題】
【０００６】
ところで、上述のような移動体通信システムにおいて、保守・点検あるいはファームウェアのバージョンアップを行うために、Ｓ−ＣＳＣＦを閉塞させる必要が生ずる場合がある。
しかしながら、Ｓ−ＣＳＣＦにユーザプロファイルが保持され、移動端末が登録されている場合、通信網側はＳ−ＣＳＣＦにおける移動端末の現在の登録状態を基に接続制御を行っているため、ユーザプロファイルを保持したままＳ−ＣＳＣＦを閉塞することはできない。また、何時でも着呼があり得ることに鑑みると、移動端末の登録先について、通信網側の認識と実際の登録状態とにずれを生じさせることは望ましくないため、閉塞対象のＳ−ＣＳＣＦにおけるユーザプロファイルを任意のタイミングで他のＳ−ＣＳＣＦに移動することは困難である。
【０００７】
そのため、移動体通信システムの機能に支障を与えることなく、閉塞対象のＳ−ＣＳＣＦがユーザプロファイルを保持しない状態とするためには、登録されている移動端末が非在圏状態となることにより、タイムアウトによってユーザプロファイルが削除されることを待つ、あるいは、登録されている移動端末が一旦非在圏状態となり、再度在圏状態になるときに移動端末から送信されるレジストレーション信号を、Ｐ−ＣＳＣＦが閉塞対象以外のＳ−ＣＳＣＦに転送するといった対応を行うこととなる。
【０００８】
ところが、移動端末の動向は予期できないものであり、移動端末が長期間（例えば数日程度）にわたって移動しないこともある。
そのため、これらの方法でＳ−ＣＳＣＦを閉塞する場合、Ｓ−ＣＳＣＦの閉塞完了時期が予期できず、閉塞完了までに長期間を要する可能性がある。
即ち、移動体通信システムにおいて、Ｓ−ＣＳＣＦの閉塞を早期に完了させることは困難であった。
【０００９】
なお、このような事態は、Ｓ−ＣＳＣＦのような、在圏中の移動端末に係るユーザプロファイルを保持しつつ、その移動端末に係る呼制御等の通信サービス制御を行う通信サービス制御装置に共通して生じ得るものである。
本発明の課題は、移動体通信システムにおいて、在圏に伴い自装置に登録された移動端末に対して通信サービス制御を行う通信サービス制御装置の閉塞を、より早期に完了させることである。
【課題を解決するための手段】
【００１０】
以上の課題を解決するため、本発明は、
在圏に伴い自装置に登録された移動端末に対して通信サービス制御を行う複数の通信サービス制御装置（例えば、図１のＳ−ＣＳＣＦ３０ａ〜３０ｃ）と、在圏する移動端末の前記複数の通信サービス制御装置への登録を管理する移動端末登録装置（例えば、図１のＰ−ＣＳＣＦ２０）とを含む移動体通信システムであって、前記移動端末登録装置は、閉塞対象とされている前記通信サービス制御装置に登録された移動端末から、前記通信サービス制御装置への登録のためのレジストレーション信号を再受信した場合に、前記複数の通信サービス制御装置のうち、閉塞対象とされている装置以外の前記通信サービス制御装置へレジストレーション信号を転送することを特徴としている。
【００１１】
また、本発明は、
在圏に伴い自装置に登録された移動端末に対して通信サービス制御を行う複数の通信サービス制御装置と、在圏する移動端末の前記複数の通信サービス制御装置への登録を管理する移動端末登録装置とを含む移動体通信システムのための移動端末登録装置であって、閉塞対象とされている前記通信サービス制御装置に登録された移動端末から、前記通信サービス制御装置への登録のためのレジストレーション信号を再受信した場合に、前記複数の通信サービス制御装置のうち、閉塞対象とされている装置以外の前記通信サービス制御装置へレジストレーション信号を転送することを特徴としている。
【００１２】
また、本発明は、
在圏に伴い自装置に登録された移動端末に対して通信サービス制御を行う複数の通信サービス制御装置と、在圏する移動端末の前記複数の通信サービス制御装置への登録を管理する移動端末登録装置とを含む移動体通信システムにおける移動端末登録装置のための制御プログラムであって、閉塞対象とされている前記通信サービス制御装置に登録された移動端末から、前記通信サービス制御装置への登録のためのレジストレーション信号を再受信した場合に、前記複数の通信サービス制御装置のうち、閉塞対象とされている装置以外の前記通信サービス制御装置へレジストレーション信号を転送する機能をコンピュータに実現させることを特徴としている。
【００１３】
さらに、本発明は、
在圏に伴い自装置に登録された移動端末に対して通信サービス制御を行う複数の通信サービス制御装置と、在圏する移動端末の前記複数の通信サービス制御装置への登録を管理する移動端末登録装置とを含む移動体通信システムにおける通信サービス制御装置の閉塞方法であって、閉塞対象とされている前記通信サービス制御装置に登録された移動端末から、前記通信サービス制御装置への登録のためのレジストレーション信号を再受信した場合に、前記複数の通信サービス制御装置のうち、閉塞対象とされている装置以外の前記通信サービス制御装置へレジストレーション信号を転送するリレジストレーションステップを含むことを特徴としている。
【００１４】
これらの発明によれば、閉塞対象となった通信サービス制御装置に登録されている移動端末からレジストレーション信号が送信された場合に、移動端末登録装置は、受信したレジストレーション信号を閉塞対象の通信サービス制御装置以外に転送する。
したがって、移動体通信システムにおいて通信サービス制御装置を閉塞する際に、移動端末のリレジストレーション時にも登録先を変更することができるため、通信サービス制御装置の閉塞を早期に完了することができる。
【００１５】
また、前記移動端末登録装置は、前記レジストレーション信号を再受信した場合、該レジストレーション信号を再送信した前記移動端末が通信中であるか否かを判定し、通信中である場合には、閉塞対象とされている前記通信サービス制御装置に該移動端末を登録し、通信中でない場合には、閉塞対象とされている前記通信サービス制御装置以外に該移動端末を登録することを特徴としている。
【００１６】
本発明によれば、移動端末登録装置は、閉塞対象となった通信サービス制御装置に登録されている移動端末からレジストレーション信号が送信された場合、その移動端末が通信中であるときには、閉塞対象となった通信サービス制御装置にレジストレーション信号を転送することにより、登録先を維持する。
したがって、通信中の移動端末のユーザプロファイルが閉塞対象の通信サービス制御装置から削除されることにより、通信網に対して移動端末の登録を抹消する手順が実行され、通信が中断されることを防ぐことができる。
【００１７】
また、前記移動体通信システムはＩＭＳ（IP Multimedia Subsystem）に準拠する移動体通信システムであり、前記移動端末登録装置はＰ−ＣＳＣＦ（Proxy-Call Session Control Function）として、前記通信サービス制御装置はＳ−ＣＳＣＦ（Serving-Call Session Control Function）として構成されることを特徴としている。
本発明によれば、ＩＭＳに準拠した従来の移動体通信システムに対し、Ｐ−ＣＳＣＦの制御を変更するのみで良いため、容易かつ低コストに上記機能を実現することができる。
【発明の効果】
【００１８】
本発明によれば、閉塞対象となった通信サービス制御装置に登録されている移動端末からレジストレーション信号が送信された場合に、移動端末登録装置は、受信したレジストレーション信号を閉塞対象の通信サービス制御装置以外に転送する。
したがって、移動体通信システムにおいて通信サービス制御装置を閉塞する際に、移動端末のリレジストレーション時にも登録先を変更することができるため、通信サービス制御装置の閉塞を早期に完了することができる。
【発明を実施するための最良の形態】
【００１９】
以下、図を参照して本発明を適用した移動体通信システムの実施の形態を説明する。
図１は、本発明に係る移動体通信システム１のシステム構成を示す概略図である。
図１において、移動体通信システム１は、移動端末１０と、Ｐ−ＣＳＣＦ２０と、Ｓ−ＣＳＣＦ３０ａ〜３０ｃと、ＨＳＳ（Home Subscriber Server）４０と、ユーザプロファイルデータベース４０ａとを備えている。なお、移動体通信システム１は、他のＰ−ＣＳＣＦあるいは付加サービスを行うサーバ等、他の要素を備えるものであるが、ここでは本発明に関わる部分を主として説明する。
【００２０】
移動端末１０は、ＩＭＳに準拠した通信を行う携帯電話機であり、いずれかの基地局の通信圏内に進入すると、その基地局に対応するＰ−ＣＳＣＦ２０に対してレジストレーション信号を送信する。
また、移動端末１０は、在圏状態が継続している間、所定周期（例えば３０分周期）でＰ−ＣＳＣＦ２０に対してレジストレーション信号を再送信する（以下、在圏状態が継続している間に再送信されるレジストレーション信号を「リレジストレーション信号」と言う。）。
【００２１】
さらに、移動端末１０は、ユーザによって発信操作が行われると、Ｐ−ＣＳＣＦ２０に対して発呼信号を送信し、他の移動端末からの発信に応じてＰ−ＣＳＣＦ２０から着呼信号が送信されると、その着呼信号を受信する。
Ｐ−ＣＳＣＦ２０は、呼制御を行うＳＩＰサーバの１つであって、移動端末１０との接続におけるプロキシサーバとして機能し、在圏状態にある移動端末１０のＳ−ＣＳＣＦ３０ａ〜３０ｃへの登録を管理する装置（移動端末登録装置）である。
【００２２】
具体的には、Ｐ−ＣＳＣＦ２０は、移動端末１０からレジストレーション信号を受信すると、その移動端末１０が新たに在圏したものである場合、設定されているラウンドロビンに従って選択したＳ−ＣＳＣＦ３０ａ〜３０ｃに対し、レジストレーション信号を転送する。なお、ここで選択したＳ−ＣＳＣＦ３０ａ〜３０ｃは、移動端末１０と対応付けて記憶される。また、既に在圏状態にあり、いずれかのＳ−ＣＳＣＦ３０ａ〜３０ｃにユーザプロファイルが保持されている移動端末１０からレジストレーション信号（即ちリレジストレーション信号）を受信した場合、Ｐ−ＣＳＣＦ２０は、新たに在圏した際にラウンドロビンによって選択したＳ−ＣＳＣＦ３０ａ〜３０ｃに、その移動端末１０からのリレジストレーション信号を転送する。
【００２３】
ここで、Ｐ−ＣＳＣＦ２０は、接続されているＳ−ＣＳＣＦ３０ａ〜３０ｃのいずれかを指定して閉塞させる閉塞制御処理（後述）を実行可能である。
Ｐ−ＣＳＣＦ２０は、いずれかのＳ−ＣＳＣＦ３０ａ〜３０ｃを閉塞させる旨の指示が行われた場合、自装置に記憶している閉塞制御処理プログラムを読み出して閉塞制御処理を実行し、移動端末１０が新たに在圏する際のレジストレーション信号および在圏状態において周期的に送信されるレジストレーション信号（リレジストレーション信号）の受信時に、移動端末１０を、閉塞対象のＳ−ＣＳＣＦ３０ａ〜３０ｃ以外に登録する処理を行う。このとき、レジストレーション信号を送信した移動端末１０が通信中である場合には、その移動端末１０は、従前の登録先であるＳ−ＣＳＣＦ３０ａ〜３０ｃに引き続き登録する。これは、通信中の移動端末１０が登録されたＳ−ＣＳＣＦ３０ａ〜３０ｃのレジストレーションのタイマーが満了することで、ユーザプロファイルが削除されることにより、通信網に対して移動端末１０の登録を抹消する手順が実行され、通信が切断されることを防ぐためである。
【００２４】
さらに、Ｐ−ＣＳＣＦ２０は、移動端末１０から発呼信号を受信すると、受信した発呼信号を、その移動端末１０が登録されているＳ−ＣＳＣＦ３０ａ〜３０ｃに転送する。
また、Ｐ−ＣＳＣＦ２０は、Ｓ−ＣＳＣＦ３０ａ〜３０ｃから着呼信号を受信すると、その着呼信号の接続先である移動端末１０に着呼信号を転送する。
Ｓ−ＣＳＣＦ３０ａ〜３０ｃは、呼制御を行うＳＩＰサーバの１つであって、ユーザの認証や発着呼の処理、および、他のサーバと連携して各種サービスを提供する通信サービス制御サーバとして機能し、在圏状態にある移動端末１０を登録して管理する装置（通信サービス制御装置）である。
【００２５】
具体的には、Ｓ−ＣＳＣＦ３０ａ〜３０ｃは、Ｐ−ＣＳＣＦ２０からレジストレーション信号を受信すると、ＨＳＳ４０のユーザプロファイルデータベース４０ａからユーザプロファイルを取得し、自装置に保持することにより、レジストレーション信号を送信した移動端末１０を登録する。
また、Ｓ−ＣＳＣＦ３０ａ〜３０ｃは、Ｐ−ＣＳＣＦ２０からリレジストレーション信号を受信している間は、移動端末１０の登録を維持し、設定されたタイムアウト時間を越えてリレジストレーション信号を受信しない場合には、その移動端末１０が非在圏状態になったものとして、その移動端末１０に係るユーザプロファイルを削除し、通信網における他のサーバに対して、自装置における移動端末１０の登録を抹消するための手順を実行する。
【００２６】
さらに、Ｓ−ＣＳＣＦ３０ａ〜３０ｃは、Ｐ−ＣＳＣＦ２０から発呼信号を受信すると、接続先の移動端末１０が登録されているＳ−ＣＳＣＦ３０ａ〜３０ｃに発呼信号を送信すると共に、各種サービスを提供するサーバと連携して、接続に関わるサービスを提供する。
また、Ｓ−ＣＳＣＦ３０ａ〜３０ｃは、他のＳ−ＣＳＣＦから発呼信号を受信すると、その発呼信号の接続先である移動端末１０に対する着呼信号をＰ−ＣＳＣＦ２０に送信する。
【００２７】
ＨＳＳ４０は、ユーザの加入者情報や認証情報、各ユーザに設定されたサービス情報といったユーザの管理のための情報を記憶するユーザプロファイルデータベース４０ａを備えたサーバであり、Ｓ−ＣＳＣＦ３０ａ〜３０ｃからユーザプロファイルの取得が要求された場合に、ユーザプロファイルデータベース４０ａから対象とするユーザのユーザプロファイルを検索し、Ｓ−ＣＳＣＦ３０ａ〜３０ｃに提供する。
【００２８】
次に、移動体通信システム１の動作について説明する。
本発明に係る移動体通信システム１においては、移動端末１０がレジストレーション信号を送信した際のＰ−ＣＳＣＦ２０の動作によりＳ−ＣＳＣＦ３０ａ〜３０ｃの閉塞が早期に完了される。
したがって、以下、Ｐ−ＣＳＣＦ２０が実行する閉塞制御処理について説明する。なお、以下の説明においては、Ｓ−ＣＳＣＦ３０ａが閉塞対象とされているものとして説明する。
【００２９】
図２は、Ｐ−ＣＳＣＦ２０が実行する閉塞制御処理を示すフローチャートである。
閉塞制御処理は、Ｓ−ＣＳＣＦ３０ａ〜３０ｃ（ここではＳ−ＣＳＣＦ３０ａ）の閉塞を行うために、移動体通信システム１の管理者によって処理の実行が指示された場合に開始される。
図２において、閉塞制御処理が開始されると、Ｐ−ＣＳＣＦ２０は、移動端末１０からレジストレーション信号（リレジストレーション信号を含む）を受信したか否かの判定を行う（ステップＳ１）。
【００３０】
ステップＳ１において、レジストレーション信号を受信していないと判定した場合、Ｐ−ＣＳＣＦ２０は、ステップＳ１の処理を繰り返し、レジストレーション信号を受信したと判定した場合、レジストレーション信号を送信した移動端末１０は既にＳ−ＣＳＣＦ３０ａ〜３０ｃに登録されているか否かの判定を行う（ステップＳ２）。
ステップＳ２において、レジストレーション信号を送信した移動端末１０が既にＳ−ＣＳＣＦ３０ａ〜３０ｃに登録されていると判定した場合、Ｐ−ＣＳＣＦ２０は、移動端末１０が閉塞対象であるＳ−ＣＳＣＦ３０ａに登録されているか否かの判定を行う（ステップＳ３）。
【００３１】
ステップＳ３において、レジストレーション信号を送信した移動端末１０がＳ−ＣＳＣＦ３０ａに登録されていると判定した場合、Ｐ−ＣＳＣＦ２０は、移動端末１０が通信中であるか否かの判定を行う（ステップＳ４）。
ステップＳ４において、レジストレーション信号を送信した移動端末１０が通信中であると判定した場合、Ｐ−ＣＳＣＦ２０は、その移動端末１０をＳ−ＣＳＣＦ３０ａに登録する（ステップＳ５）。
【００３２】
一方、ステップＳ２において、レジストレーション信号を送信した移動端末１０が未だＳ−ＣＳＣＦ３０ａ〜３０ｃに登録されていないと判定した場合、および、ステップＳ３において、レジストレーション信号を送信した移動端末１０がＳ−ＣＳＣＦ３０ｂ，３０ｃに登録されていると判定した場合、および、ステップＳ４において、レジストレーション信号を送信した移動端末１０が通信中でないと判定した場合、Ｐ−ＣＳＣＦ２０は、その移動端末１０をＳ−ＣＳＣＦ３０ｂ，３０ｃのいずれかに登録する（ステップＳ５）。このとき、移動端末１０が新たに在圏したものである場合およびＳ−ＣＳＣＦ３０ａから登録先を変更されるものである場合、Ｐ−ＣＳＣＦ２０は、ラウンドロビンに従ってＳ−ＣＳＣＦ３０ｂ，３０ｃのいずれかを選択して移動端末１０を登録し、Ｓ−ＣＳＣＦ３０ｂ，３０ｃに既に登録されているものである場合、その登録先に登録する。
ステップＳ５およびステップＳ６の後、Ｐ−ＣＳＣＦ２０は、閉塞制御処理を繰り返す。
Ｐ−ＣＳＣＦ２０が上記のように動作する結果、移動体通信システム１は、例えば図３に示すような動作シーケンスとなる。
【００３３】
図３は、移動体通信システム１における閉塞制御処理実行時の動作シーケンス例を示す図である。
図３において、移動端末１０はＳ−ＣＳＣＦ３０ａに登録されており、通話中の状態であるものとする。
このとき、移動端末１０がＰ−ＣＳＣＦ２０にリレジストレーション信号を送信したとする（ステップＳ１０１）。
すると、Ｐ−ＣＳＣＦ２０は、移動端末１０が既にＳ−ＣＳＣＦ３０ａに登録されており、通話中であることから、図２に示すフローチャートにおいて、ステップＳ１〜Ｓ４を全て“Ｙ”と判定し、リレジストレーション信号をＳ−ＣＳＣＦ３０ａに転送することにより、移動端末１０をＳ−ＣＳＣＦ３０ａに登録する（ステップＳ１０２）。
【００３４】
ここで、移動端末１０における通信が終了し、その後、移動端末１０がＰ−ＣＳＣＦ２０にリレジストレーション信号を送信したとする（ステップＳ１０３）。
すると、Ｐ−ＣＳＣＦ２０は、移動端末１０が既にＳ−ＣＳＣＦ３０ａに登録されており、通話中でないことから、図２に示すフローチャートにおいて、ステップＳ１〜Ｓ３を“Ｙ”、ステップＳ４を“Ｎ”と判定し、リレジストレーション信号をＳ−ＣＳＣＦ３０ｂ，３０ｃのいずれかに転送することにより、移動端末１０をＳ−ＣＳＣＦ３０ｂ，３０ｃに登録する（ステップＳ１０４）。
【００３５】
リレジストレーション信号が転送されたＳ−ＣＳＣＦ３０ｂ，３０ｃは、移動端末１０が新たに登録されることとなるため、ＨＳＳ４０にユーザプロファイルの取得を要求し（ステップＳ１０５）、ＨＳＳ４０は、Ｓ−ＣＳＣＦ３０ｂ、３０ｃにユーザプロファイルを提供する（ステップＳ１０６）。
ユーザプロファイルの提供を受けたＳ−ＣＳＣＦ３０ｂ，３０ｃは、そのユーザプロファイルを保持し（ステップＳ１０７）、Ｐ−ＣＳＣＦ２０に対し、移動端末１０のレジストレーションが完了した旨の確認信号を送信する（ステップＳ１０８）。
すると、Ｐ−ＣＳＣＦ２０は、受信した確認信号を移動端末１０に転送する（ステップＳ１０９）。
【００３６】
また、ＨＳＳ４０は、移動端末１０の登録先が変更されたことにより、Ｓ−ＣＳＣＦ３０ａに対し、Ｓ−ＣＳＣＦ３０ａにおける登録を終了させる旨の要求信号を送信する（ステップＳ１１０）。
Ｓ−ＣＳＣＦ３０ａは、ＨＳＳ４０からの要求信号を受けると、移動端末１０のユーザプロファイルを削除し（ステップＳ１１１）、ＨＳＳ４０に対し、移動端末１０の登録を終了した旨の応答信号を送信する（ステップＳ１１２）。
このようなシーケンスによって、通信中の移動端末１０に影響を与えることなく、リレジストレーション時に移動端末１０の登録先が変更される。
【００３７】
以上のように、本実施形態に係る移動体通信システム１においては、閉塞対象となったＳ−ＣＳＣＦに登録されている移動端末からレジストレーション信号が送信された場合に、Ｐ−ＣＳＣＦは、受信したレジストレーション信号を閉塞対象のＳ−ＣＳＣＦ以外に転送する。
したがって、移動体通信システムにおいてＳ−ＣＳＣＦを閉塞する際に、移動端末のリレジストレーション時にも登録先を変更することができるため、移動端末が長期間にわたり在圏し続ける場合であっても、Ｓ−ＣＳＣＦの閉塞を早期に完了することができる。
【００３８】
また、ＩＭＳに準拠した従来の移動体通信システムに対し、Ｐ−ＣＳＣＦの制御を変更するのみで良いため、容易かつ低コストに上記機能を実現することができる。
さらに、Ｐ−ＣＳＣＦは、閉塞対象となったＳ−ＣＳＣＦに登録されている移動端末からレジストレーション信号が送信された場合、その移動端末が通信中であるときには、閉塞対象となったＳ−ＣＳＣＦにレジストレーション信号を転送することにより、登録先を維持する。
したがって、通信中の移動端末のユーザプロファイルが閉塞対象のＳ−ＣＳＣＦから削除されることにより、通信網に対して移動端末の登録を抹消する手順が実行され、通信が中断されることを防ぐことができる。
【図面の簡単な説明】
【００３９】
【図１】本発明に係る移動体通信システム１のシステム構成を示す概略図である。
【図２】Ｐ−ＣＳＣＦ２０が実行する閉塞制御処理を示すフローチャートである。
【図３】移動体通信システム１における閉塞制御処理実行時の動作シーケンス例を示す図である。
【符号の説明】
【００４０】
１  移動体通信システム、１０  移動端末、２０  Ｐ−ＣＳＣＦ、３０ａ〜３０ｃ  Ｓ−ＣＳＣＦ、４０  ＨＳＳ、４０ａ  ユーザプロファイルデータベース
【図１】
2008078994.tif 000003
【図２】
2008078994.tif 000004
【図３】
2008078994.tif 000005